Podtech/llm-jp-corpus-v4-ja_patent huggingface dataset:
(57)【要約】      （修正有）【課題】旅館・ホテル・病院等で使用するスリッパに関し、他人のものとの差別化が図れ、履き違いをなくし、またリサイクルが可能で資源の有効活用ができ、さらに段差による躓きや転倒の防止を図ったスリッパを提供する。【解決手段】インソールとインソールの下側に位置するアウトソールから成るソール部と、ソール部に設けられ、足の甲が侵入されるアーチ部２とから成るスリッパＳであって、このスリッパの少なくともアーチ部は樹脂素材で成形されるとともに、アーチ部の一部にはアーチ部の表面に対して段差を有する段差部３を形成したことを、特徴とする。段差部に、ペン等で名前等を記入できるようにする。【選択図】図２
0003198212.tif 000002
【実用新案登録請求の範囲】
【請求項１】
インソールと該インソールの下側に位置するアウトソールから成るソール部と、該ソール部に設けられ、足の甲が侵入されるアーチ部とから成るスリッパであって、このスリッパの少なくともアーチ部は樹脂素材で成形されるとともに、該アーチ部の一部にはアーチ部の表面に対して段差を有する段差部が形成されていることを特徴とするスリッパ。
【請求項２】
前記スリッパのソール部とアーチ部は、樹脂素材で一体成形されていることを特徴とする請求項１記載のスリッパ。
【請求項３】
前記ソール部のアーチ部よりも前側には、前方に向かって上方へ傾斜する傾斜部が形成されていることを特徴とする請求項1又は２に記載のスリッパ。
【考案の詳細な説明】
【技術分野】
【０００１】
旅館・ホテル・病院等で宿泊客や入院患者が使用する為のスリッパに関するものである。
【背景技術】
【０００２】
温泉宿泊施設や病院で使われているスリッパは、使い回しのスリッパという方法と、一人のお客様が使用後に廃却する、いわゆる使い捨てスリッパがほとんどある。
【考案の概要】
【考案が解決しようとする課題】
【０００３】
現在、日本の温泉宿泊施設や病院で使われているスリッパは、使い回しが大半を占めているが、現実問題は水虫の温床となっていると考えられる。温泉宿泊施設に限っては、昨日まで誰が履いていたか分からないスリッパを大浴場に履いていき、入浴後は誰が履いてきたものか分からない使い回しのスリッパを履き、館内を移動しなければならない。
【０００４】
また、着慣れない浴衣での歩行は膝を上げての普段通りの歩行が出来ない傾向がある。その為、摺り足に近い歩行になり、少しの段差でも躓き易くなってしまう。また今後、日本における問題の一つが高齢化社会である。加齢が進むと当然、歩行にも難を要する事にもなる。より安全に期するスリッパが必要となる。そして、もう一つの大きな問題はゴミ問題である。限りある資源と向き合っていく事が大切である。
【課題を解決するための手段】
【０００５】
上記の問題点を解決するために、本考案ではインソールと該インソールの下側に位置するアウトソールから成るソール部と、該ソール部に設けれ、足の甲が侵入されるアーチ部とから成るスリッパであって、このスリッパの少なくともアーチ部は樹脂素材で成形されるとともに、該アーチ部の一部にはアーチ部の表面に対して段差を有する段差部を形成したことを、特徴とする。
【０００６】
上記構成とする事によって、前記した段差部に、ペン等で名前等を記入できるようになり、他人との差別化が図れてスリッパの履き違いがなくなるようになる。
【０００７】
また、本考案においては、前記スリッパのソール部とアーチ部とを、樹脂素材で一体成形するように構成した。この構成によって、樹脂素材のスリッパを回収する事によってリサイクルが可能となり、限られた資源の有効活用に努める事が出来る。
【０００８】
さらに本考案においては、前記ソール部のアーチ部よりも前側に、前方に向かって上方へ傾斜する傾斜部を形成する事で、段差による躓きや転倒の防止となる。
【図面の簡単な説明】
【０００９】
【図１】本考案のスリッパの実施例を示す平面図である。
【図２】本考案のスリッパの実施例を示す側面図である。
【図３】図１のA―A断面図である。
【図４】本考案のスリッパの実施例を示す斜視図である。
【考案を実施するための形態】
【実施例】
【００１０】
以下、添付図面に従って一実施例を説明する。本考案によるスリッパSは足裏が載置されるスリッパ本体１と該スリッパ本体１の前側で、つま先部分を覆うアーチ状のバンド部２とから構成されている。このスリッパ本体１とバンド部２とは、樹脂素材を射出成型することで一体成形されている。前記スリッパ本体１の先端部１aは、前側に向かって上方に傾斜する傾斜部４が形成されている。
【００１１】
前記バンド部２は、前記した傾斜部４の上方への立ち上がり部分から後側に設けられている。そして、バンド部２の両側には所定幅の凸部３が前後方向に延びている。この凸部は、突出した部分は、平坦状とされている。
【００１２】
前記したように、本考案の構成によれば、バンド部２の凸部の平坦状部分にペン等で文字を記載することができる。これによって、他人との差別化が図れてスリッパの履き違いがなくなるようになる。また、凸部３の平坦状部分に例えば旅館あるいはホテルなどのネームを入れることも可能である。さらには、宣伝用の文言などを入れることも可能である。
【００１３】
また、スリッパ本体１の先端部を傾斜された構成としているため、段差があるようなところでの躓きが防止できる。スリッパの先端を地面より20度から30度程度に湾曲させ、つま先をバンド部から出ないよう先端を狭く設計し、またバンド部の側面に印を記入できる凹凸を作ったスリッパを樹脂金型での1工程で製造する。これによりゴミを出さず、他人のスリッパを履き間違える事がなくなる。また、上記本体１の先端が上方に湾曲されている曲げ部４が形成されている。これにより、段差による躓きや転倒を抑制できる。
【００１４】
なお、本考案の実施例においては、スリッパSを樹脂素材で一体成形しているが、このスリッパSはいわゆる使い捨てタイプとすることを可能であり、この際には使用後のスリッパSを回収して再利用を図ることもできる。
【符号の説明】
【００１５】
１  スリッパ本体
２  バンド部  
３  凸部
４  傾斜部
【図１】
0003198212.tif 000003
【図２】
0003198212.tif 000004
【図３】
0003198212.tif 000005
【図４】
0003198212.tif 000006
(57)【要約】      （修正有）【課題】トレッキングストック本体のポール部分にデジタルカメラを自分の方向へ向けて取り付けて自撮りするトレッキングストック専用自撮りデジタルカメラホルダーを提供する。【解決手段】トレッキングストック本体のポール部分５にトレッキングストック専用自撮りデジタルカメラホルダー本体１を取り付け、トレッキングストック専用自撮りデジタルカメラホルダー取り付けボルト３で固定し、デジタルカメラ本体６をデジタルカメラ取り付けボルト２に取り付けて自分の方向へ向けてデジタルカメラ固定ナット４で固定する。【選択図】図２
0003198234.tif 000002
【実用新案登録請求の範囲】
【請求項１】
トレッキングストック本体のポール部分に、デジタルカメラ用のボルトを垂直になるように取り付けることで、デジタルカメラを自分の方向へ向けられ自撮りを可能にし、トレッキングストック専用自撮りデジタルカメラホルダー取り付けボルトの締め付ける力を調整することにより、どのメーカーのトレッキングストックにも自由に取り付け、取り外しできるところを特徴とするトレッキングストック専用自撮りデジタルカメラホルダー
【考案の詳細な説明】
【技術分野】
【０００１】  本考案はトレッキングストックのポール部分にデジタルカメラを取り付ける器具である。
【背景技術】
【０００２】  登山において自分を撮影する場合、三脚で撮影したり他人に声をかけて撮影してもらっていた。
【考案の概要】
【考案が解決しようとする課題】
【０００３】  登山では軽量化が重要で三脚は重く荷物になり、場所によっては三脚が立てられない。また他人に声をかけれない人や周辺に誰もいない場合もある。
【課題を解決するための手段】
【０００４】  本考案はトレッキングストックのポール部分に対して垂直にボルトを取り付けた事で、デジタルカメラを自分の方向へ向けられる様になり、三脚がなくても他人に声をかけなくても自撮りできる様になり問題点を解決している。
【考案の効果】
【０００５】  上述の様に、本考案のトレッキングストック専用自撮りデジタルカメラホルダーは自撮りは勿論、ポール部分に取り付けるボルトを締め付ける力を調整することでどのメーカーのどんなトレッキングストックにも取り付けられ、他人に声をかけられなくても三脚が立てられなくても自分を撮影することができる。
【図面の簡単な説明】
【０００６】
【図１】本考案のトレッキングストック専用デジタルカメラホルダーの正面図である。
【図２】トレッキングストック専用デジタルカメラホルダー一部断面図である。
【符号の説明】
【０００７】  １  トレッキングストック専用デジタルカメラホルダー本体
２  デジタルカメラ取り付けボルト
３  トレッキングストック専用デジタルカメラホルダー取り付けボルト
４  デジタルカメラ固定ナット
５  トレッキングストック本体のポール部分の一部
６  デジタルカメラ本体
【図１】
0003198234.tif 000003
【図２】
0003198234.tif 000004
【手続補正書】
【提出日】平成27年3月25日(2015.3.25)
【手続補正１】
【補正対象書類名】実用新案登録請求の範囲
【補正対象項目名】請求項１
【補正方法】変更
【補正の内容】
【請求項１】
トレッキングストック専用自撮りデジタルカメラホルダー本体のリング状の部分にトレッキングストック本体のポール部分をはめ込み、ポール部分に固定するためのトレッキングストック専用自撮りデジタルカメラホルダー取り付けボルトを締め付けトレッキングストック専用デジタルカメラホルダー本体にあるデジタルカメラ取り付けボルトにデジタルカメラを自撮りできる方向に向けて取り付け、デジタルカメラを固定するためのデジタルカメラ固定ナットを締め付けてトレッキングストック本体のポール部分の長さを利用して自撮りを可能にしトレッキングストック専用自撮りデジタルカメラホルダー取り付けボルトを締め付ける力を調節することによりどのメーカーのトレッキングストックにも自由に取り付け取り外しできるところを特徴とするトレッキングストック専用自撮りデジタルカメラホルダー
(57)【要約】      （修正有）【課題】確実性の高い色合わせができるファインダーによる色見本照合識別表を提供する。【解決手段】台紙１の四角く仕切られた枠にさまざまな色見本２を印刷し、この印刷された色見本に穴３を開けてファインダーをつくる。端の穴４はリングで綴じる機能を有する。希望どおり指定した色になっているかどうかは、色見本と穴の中の色を照合すれば瞬時に確認できる。【選択図】図１
0003198235.tif 000002
【実用新案登録請求の範囲】
【請求項１】
色見本に印刷されたすべての色に穴を開けて、覗き窓のファインダーをつくることで、穴の中の色を目視で照合する色見本照合識別表。
【考案の詳細な説明】
【技術分野】
【０００１】  本考案は、色見本にファインダーを施すことによって、ほかの印刷物の色と照合する色の識別に関するものである。
【背景技術】
【０００２】従来からの色見本は印刷可能な基板である紙類、フィルム、プラスチック等適宜素材を用いた重い大型本、コンパクトなポケット本や短冊様式があって、色の見本を羅列しただけのベタ塗りで構成されている。そこで、刷られたカラー印刷物が希望どおりの色で、印刷されているかどうかを確かめる照合方法として、色見本を接近して見比べるのだが、若干でも離れていると目視による照合方法としては正確性に欠けるという問題を有していた。
【考案の概要】
【考案が解決しようとする課題】
【０００３】本考案は照合方法の欠点を改良するため、色見本の台紙に新たに穴をあけて覗き窓のファインダーを造ることで、カラー印刷物に接した重ね置きが容易になり、瞬時に色照合の欠点が改善でき、ファインダーによる色見本照合識別表を提供することを目的としている。
【課題を解決するための手段】
【０００４】平らな台紙（１）に色見本（２）を印刷し、マス目に穴（３）をあける。端にある穴はリングで綴る穴を施す。本考案はファインダーに特徴がある色見本識別表である。
【考案の効果】
【０００５】考案の色見本の穴はファインダーの役目を担い、この色見本を照合したい印刷物にくっ付けて重ね置きできるので、ファインダーの穴の内側と外の色見本の色を同時に照合すれば、色の識別が瞬時にでき、誤謬も少なく正確さが向上する。とくに、絵画、イラスト、デザインの配色や色照合には効果的である。くわえて、色見本の小分けによる軽量化の実現は携帯としての利点も提供できる。
【図面の簡単な説明】
【０００６】
【図１】本考案に係る色見本の平面図である
【考案を実施するための形態】
【０００７】図１のような台紙（１）にマス目の色見本（２）を印刷し、マス目に穴（３）をあける。端にある穴（４）はリングで綴る穴である。使用方法はリングから外すか若しくはリングのまま扇状に広げ、照合したい印刷物の上に乗せる。乗せたらファインダーの穴を覗いて色の正誤を確かめる。
【符号の説明】
【０００８】１台紙
２色見本
３穴
４リングで綴る穴
【図１】
0003198235.tif 000003
【手続補正書】
【提出日】平成27年3月26日(2015.3.26)
【手続補正１】
【補正対象書類名】実用新案登録請求の範囲
【補正対象項目名】全文
【補正方法】変更
【補正の内容】
【実用新案登録請求の範囲】
【請求項１】
色見本の色が付いたマス目に覗き窓の穴を開けた短冊状の台紙の端部に穴を設け、前記端部の穴にリングを通して綴れることを特徴としたファインダーによる色見本照合識別表。
(57)【要約】      （修正有）【課題】目視や経験による危険措置だけではなく、船舶内で起こりうる危険を警報音と光で知らせ、事前に事故を防ぐ事ができる船用警報盤を提供する。【解決手段】大型の貨物船、運搬船、旅客船等の大型船舶等のハッチカバー巻取装置、ランプドアウインチ、居住区ドア等の各切り替え弁や制御弁付近に船用警報盤を設置し、船用警報盤本体からケーブルで繋がる近接スイッチを各切り替え弁や制御弁等に近接させると共に、警報音を記録したＳＤカードを読み出すＳＤカードリーダーを設け、船舶の切替弁又は制御弁の操作をする事で作動を知らせる。【選択図】図３
0003198231.tif 000002
【実用新案登録請求の範囲】
【請求項１】
近接スイッチ、ＳＤカードリーダーを設けたことを特徴とする船用警報盤
【考案の詳細な説明】
【技術分野】
【０００１】この考案は、大型の貨物船、運搬船、旅客船等の船舶内での作業の安全の向上に関する。
【背景技術】
【０００２】大型の貨物船、運搬船、旅客船等の大型船舶には様々な危険箇所があります。
現在は目視や経験による危険察知がほとんどであり
危険箇所は怪我が発生して”危険だった”と思い出すところもあれば危険を感じていても日々の時間が認識を薄めてしまうことがあります。
船舶警報盤の目的は船舶内で起こる日常の危険を常に認識し安全を向上することである。
【考案の概要】
【考案が解決しようとする課題】
【０００３】現在の大型の貨物船、運搬船、旅客船等の大型船舶では、ハッチカバー巻取装置の開閉時、ランプドアウインチの開閉時、居住区ドアの開閉時等、船舶内では様々な危険箇所があり、様々な事故が起きている現状があります。今までのように目視や経験による危険措置だけではなく、船舶内で起こりうる危険を船用警報盤の警報音と光で知らせ、事前に事故を防ぐ事を課題としています。
【課題を解決するための手段】
【０００４】以上の課題を解決するために、第一考案者は大型の貨物船、運搬船、旅客船等の大型船舶のハッチカバー巻取装置、ランプドアウインチ、居住区ドア等の各切り替え弁や制御弁付近に船用警報盤（別途図面  外形図，外形図２参照）を設置し、船用警報盤（写真１参照）より出力される電子ケーブルから繋がる近接スイッチ（写真参照）を各切り替え弁や制御弁等に近接（別途写真２参照）する事によりハッチカバー巻取装置、ランプドアウインチ、居住区ドアの開閉時に船用警報盤が作動し警報音（外形図タイプ１型７０〜８５ｄｂ・外形図タイプ２型８５〜１０５ｄｂ）と赤色灯の光にて各装置の作動を船員に知らせる事で事故を回避する事。
第２考案は大型の船舶内では同様の危険箇所が多くあることから単独の船用警報盤（入力１）に対し警報１の単独型、船用警報盤（入力１）から複数の船用警報盤へ連結する連結型の２タイプを選択可能（単独使用も可能）にし各装置の切り替え弁や制御弁等から離れた場所でも警報と光を発することができるようにする事により、より遠くにいる、より多くの船員にハッチカバー巻取装置、ランプドアウインチ、居住区ドア等の作動を知らせる事。
第３考案は、夜間作業時や騒音問題のある場所等を考慮し音量を調整できるようにし、ＳＤカードにて社歌などの各企業のオリジナルの警報音を流すことができるようにする事によりオリジナルでより警報効果のある音源を鳴動させること。
上記の３つを特徴とする船用警報盤です。
【考案の効果】
【０００５】第一考案により大型の貨物船、運搬船、旅客船等の大型船舶のハッチカバー巻取装置、ランプドアウインチ、居住区ドア等の各切り替え弁や制御弁等を操作する毎に、音と光で多くの船員に各装置の作動を知らせることができる。
第２考案により、切り替え弁や制御弁等の操作をする者や付近にいる者のみではなく、より遠く離れた場所にいる、より多くの船員にも各装置の作動を知らせる事ができる。
第３考案により、各企業の社歌など、独自の音源を入力することにより、警報音のみではなくオリジナルの音を入れることにより、より効果的でオリジナル性のある警報音を作ることができる。
音量調整ができることにより、夜間作業や騒音の問題がある場所での音量の調整をする事ができる。
【図面の簡単な説明】
【図１】この考案の正面及び側面の外系図タイプ１型（７０ｄｂ〜８５ｄｂ  警報音：ｐｉ−ｐｉ−ｐｉ−）
【図２】この考案の正面及び側面の外系図タイプ２型（音量：８５ｄｂ〜１０５ｄｂ  警報音：ＳＤカードに保存した音源）
【図３】この考案の本体から電源及び近接スイッチまでの系統図
【図４】この考案の回路図
【考案を実施するための形態】
【０００６】この考案の一実施形態を、図３に示す。
船用警報盤の本体は鉄製であり、この本体の内部よりＡＣ１００Ｖ電源コンセントと近接スイッチと繋がる電子ケーブル及びＳＤカードリーダーが設けられている。
【実施形態の効果】
この実施形態によれば大型の貨物船、運搬船、旅客船等の大型船舶のハッチカバー巻取装置、ランプドアウインチ、居住区ドア等の各切り替え弁や制御弁を操作し、近接スイッチと各切り替え弁や制御弁等が近接した際に、本体の内蔵スピーカー（図１タイプＩ型）、赤色灯の点灯及び赤色灯の下部側面（図２タイプＩＩ型）のスピーカーより警報音が鳴動するようになっている。
【符号の説明】
【０００７】１，船用警報盤本体    ２，赤色灯    ３，ＳＤカードリーダー
４，近接スイッチ
【図１】
0003198231.tif 000003
【図２】
0003198231.tif 000004
【図３】
0003198231.tif 000005
【図４】
0003198231.tif 000006
【図５】
0003198231.tif 000007
【手続補正書】
【提出日】平成27年3月16日(2015.3.16)
【手続補正１】
【補正対象書類名】実用新案登録請求の範囲
【補正対象項目名】全文
【補正方法】変更
【補正の内容】
【実用新案登録請求の範囲】
【請求項１】
船用警報盤に近接スイッチと当該警報音を記録したＳＤカードを読み出す事ができるＳＤカードリーダーを設ける事により、船舶の切替弁又は制御弁の操作をする事で作動させることのできる船用警報盤。
【手続補正２】
【補正対象書類名】図面
【補正対象項目名】図５
【補正方法】削除
【補正の内容】
(57)【要約】      （修正有）【課題】無呼吸検出時に睡眠姿勢の変更を促す装置を提供する。【解決手段】呼吸検出センサー用鼻カニューレまたは鼻口カニューレ１と、鼻カニューレまたは鼻口カニューレに入力された呼気変化を電気信号に変換するコンデンサーマイク２と、電気信号に基づいて、呼吸が停止している時間が予め設定した無呼吸と判断する時間に達したと判断したときに、音響或いは機械的振動により一時的に睡眠者本人に通知して睡眠姿勢の変更を促す音響装置１０または機械的振動装置１１と、を有する。また、無呼吸中の直流信号を出力できる端子１２を備える。この端子に、データレコーダを接続してその内部時間から無呼吸の発生時間や無呼吸の継続時間等を記録し、自ら分析を行うことができる。【選択図】図１
0003198239.tif 000002
【実用新案登録請求の範囲】
【請求項１】
睡眠中において呼吸検出センサー用鼻カニューレまたは鼻口カニューレに入力された呼気変化を安価なコンデンサーマイクにより電気信号に変換し、予め設定した無呼吸と判断する時間に達したときに音響或いは機械的振動により一時的に睡眠者本人に通知し、睡眠姿勢の変更を促すアラーム機能を有する。本アラーム発生後、呼吸回復が図れた時点でアラームは自動的にリセットされる。
【請求項２】
上記無呼吸状態の信号を外部に出力し、データレコーダー等に記録するための信号出力端子を有する。
【考案の詳細な説明】
【技術分野】
【０００１】
本考案は、睡眠時に無呼吸を検出した場合、睡眠姿勢の変更を促すための装置に関するものである。
【背景技術】
【０００２】
睡眠時に仰向けになると舌の付け根などが上気道に落ち込みやすくなるため、いびきや無呼吸が起きやすい。いびきの発生と無呼吸の発生には関連性が深い。しかし、いびきが発生した場合、いびき音をマイクで拾い音響または振動等によりアラームを発生させ睡眠時の姿勢の変更を促す装置は存在するが、無呼吸が発生した場合に睡眠時の姿勢の変更を促す装置は見当たらない。
【考案の概要】
【考案が解決しようとする課題】
【０００３】
従来の装置では、睡眠時にいびきが発生した場合に、いびきを検出しアラームを発生させ睡眠時の姿勢の変更（仰向きから横向きなど）を促すことはできたが、無呼吸の場合には人体から音を出さないため検出することができず、アラームを出すことができなかった。本考案は、無呼吸が一定時間以上継続した場合にアラームを発生させ睡眠時の姿勢の変更を促せるようにしたものである。
【課題を解決するための手段】
【０００４】
上記課題を解決するため、図１のような簡易な構成により呼吸検出センサー用鼻カニューレまたは鼻口カニューレ及びコンデンサーマイクをセンサーとし、無呼吸発生が一定時間以上経過した場合、本人に音響または、機械的振動により通知し睡眠時の姿勢の変更を促すようにした。また、外部にデータレコーダ等を接続した場合には、発生時間や無呼吸時間等を記録し自ら分析できるようにした。
【考案の効果】
【０００５】
睡眠時において、従来は、いびき発生時に睡眠姿勢の変更を促す効果は期待できたが、無呼吸発生時に対する機能がないため、無呼吸による睡眠姿勢の変更を促すことができなかった。本考案は、軽度な治療を要しない程度の睡眠時の無呼吸の発生に対して睡眠姿勢の変更を促し、無呼吸時間を短縮することで、健康増進への一助となりえることが期待できる。
【図面の簡単な説明】
【０００６】
【図１】図１は、本考案の実施方法を示した説明図である。（実施例１）
【考案を実施するための形態】
【０００７】
本装置は、旅行等の移動時にも容易に使用を可能とするため、手のひらサイズの軽量かつ携帯用とし、安価で普及が図れるよう最小限の部品点数で実現した。
【実施例】
【０００８】
図１は、本考案装置の実施例の機能ブロック図で、１は呼吸検出センサー用鼻カニューレまたは鼻口カニューレ、２はコンデンサーマイク、３はマイクアンプ、4は低域濾過器、５は増幅器、６は振幅比較器、７はタイマー、８は音響信号発振・駆動器、９は振動機器駆動器、１０は外部に取り付けた音響発生装置（スピーカー・イヤホン等）、１１は機械的振動装置（振動モーター等）、１２は無呼吸発生期間中に無呼吸信号を出力する端子、１３は電源装置、１４及び１５は接続ケーブル、１６は本体ケースから構成される。。
【０００９】
動作としては、図１において、１のり呼吸検出センサー用鼻カニューレまたは鼻口カニューレで呼気を取り込み、１６の本体ケース内に組み込んだ２のコンデンサーマイクで上記カニューレからの空気圧の変化を電気信号に変換し、３のマイクアンプで増幅を行う。続いて4の低域濾過器で呼気信号のみを通過させ、５の増幅器で濾過された信号のレベルを、６の振幅比較器で判断できレベルに増幅を行う。７のタイマーは無呼吸と判断するためのものであるが呼吸が停止していないときは、呼気信号によりタイマーはリセットされている。呼吸が停止してタイマーが進行しタイムアウトすると、８の音響信号発振・駆動器または、９の機械的振動用の駆動器が起動し、外部に取り付けた、10の音響装置（スピーカー、イヤホン等）または１１の機械的振動装置（振動モーター等）が動作し睡眠者にアラームする。同時に、１２の出力端子に直流信号が出力される。１３は電源装置で単3または単4乾電池2本を内蔵する。
【図１】
0003198239.tif 000003
【手続補正書】
【提出日】平成27年4月10日(2015.4.10)
【手続補正１】
【補正対象書類名】実用新案登録請求の範囲
【補正対象項目名】全文
【補正方法】変更
【補正の内容】
【実用新案登録請求の範囲】
【請求項１】
呼吸検出センサー用鼻カニューレまたは鼻口カニューレと、
当該鼻カニューレまたは鼻口カニューレに入力された呼気変化を電気信号に変換するコンデンサーマイクと、
当該電気信号に基づいて、呼吸が停止している時間が予め設定した無呼吸と判断する時間に達したと判断したときに、音響或いは機械的振動により一時的に睡眠者本人に通知する睡眠姿勢の変更を促す音響装置または機械的振動装置と、
を有する、睡眠時における無呼吸検出時に睡眠姿勢の変更を促す装置。
【請求項２】
請求項１に記載されている装置であって、
上記無呼吸状態の信号を外部に出力する信号出力端子
を更に有する、睡眠時における無呼吸検出時に睡眠姿勢の変更を促す装置。
(57)【要約】      （修正有）【課題】仰向けに寝て、背中側に左右均等的に突起を当てて敷き、押圧効果を得る形態の、四個の突起を有する四突起指圧器において、突起二個同士間の巾を簡単に変えて使え、且つ、二突起指圧器としても使える自在巾２・２突起指圧器を提供する。【解決手段】突起１を二個ずつ設けた同形の長方形的な形状の二つの盤２、４をスライド板３でつないで、一方の盤をスライドできるようにしておくことによって作り、且つ、その盤を抜き外して、二突起指圧器として使えるようにしておく。【選択図】図１
0003198238.tif 000002
【実用新案登録請求の範囲】
【請求項１】
長方形あるいは長方形的形状である程度厚みがあり盤面に突起１二個を長方向に並立に設けて長方側部に横に突き出す形態で直角にスライド板３を設けた固定突起盤２のスライド板３を同形で同様に突起１二個を設けて盤を横断貫通するスライド穴５を直交して設けた可動突起盤４のスライド穴５に差し込むことにより両盤をつなぎ可動突起盤４をスライドできるように且つ抜き外して単独で二突起指圧器として使用できるようにした合成樹脂又は木又は金属又はゴムを材料にして作った自在巾２・２突起指圧器。
【考案の詳細な説明】
【技術分野】
【０００１】  本考案は、仰向けに寝て、背中等に敷いて、押圧効果を得るための指圧器に関するものである。
【背景技術】
【０００２】  仰向けに寝て、背中等に敷いて、左右均等的に突起を当てて、押圧効果を得る、四個の突起を有する（四突起）指圧器において、使用中、突起二個同士間の巾を、その都度、簡単に、望む巾に動かして使えるようにした指圧器は無かった。
且つ、二個の突起を有する部分を外して、単独で、二突起指圧器として使えるようにしたものも無かった。
【考案の概要】
【考案が解決しようとする課題】
【０００３】  仰向けに寝て、背中側に左右均等的に突起１を当てて敷き、押圧効果を得る形態の、四個の突起を有する指圧器において、より効果を高めるために、突起二個同士間の巾を、その都度、簡単に変えられるように、且つ、二個の突起を有する部分を外して、単独で二突起指圧器として使用できるようにした、四突起指圧器を作る。
【課題を解決するための手段】
【０００４】（イ）  本考案は、固定突起盤２と可動突起盤４をスライド板３でつないで作る。
（ロ）  固定突起盤２は、長方形的形状で、ある程度厚みのある盤の、盤面に二個の突起１を長方向に並立して設け、盤の長方側部から直角に、横に突き出す形態で、長方形のスライド板３を設けたものである。
（ハ）  可動突起盤４は、固定突起盤２と同形で、長方形的形状で、ある程度厚みのある、同じく二個の突起１を設けた盤に、盤に直交して横断貫通する、スライド穴５を設けたものである。
（二）  上記のようにして作った、固定突起盤２のスライド板３を、可動突起盤４のスライド穴５に差し込んで、両盤をつないで、四突起指圧器、即ち、自由巾２・２突起指圧器を作る。
（ホ）  この時、可動突起盤４はスライド板３に沿ってスライドできるように、且つ、抜き外して、単独で二突起指圧器として使用できるようにしておく。
（ヘ）  尚、ここで言う長方形的形状というのは、楕円形に近いものとか、多少の切れ込みなどがあってもよい。但し、固定突起盤２と可動突起盤４が、平行になるようにスライド板３でつなぐことを前提とする。
（ト）  又、突起１の形は、全て同形で、突起の全面又は上面が、球面的な形状の曲面を成したものが適切である。
（チ）  尚、該指圧器は、合成樹脂、又は木（コルクを含む）、又は金属、又はゴム（エボナイト、硬質ゴムを含む）を材料にして作成する。
（リ）  又、両盤は同一平面上に配位するように、スライド板はその平面と平行になるようにしておく。
【考案の効果】
【０００５】  本考案の使用中に、可動突起盤４をスライドさせることによって、突起二個同士間の巾を、簡単に変えることができて使い勝手がよい。
それゆえ、凝りが部位によって異なっていたり、ツボや凝りが微妙に変化したりしても、その都度、指圧器を少しずつずらしたり、両盤の巾を簡単に調節して、適切な部位に当てて押圧できるので、常に、より気持ちに即した、より高い指圧効果や押圧効果が得られる。又、使う人が変わっても同様であり、誰にでも合う。
この時、突起二個同士間の巾を、一動作で変えられるのは、一個一個突起を動かして巾を変えるより、手間がかからなくて便利である。
又、可動突起盤４をスライド板３から抜き外して、単独で、主に首筋に対して使う二突起指圧器として使用できる。
このように、本考案は四突起指圧器で突起二個同士間の巾を簡単に変えて使え、且つ、二突起指圧器としても使えるので重宝である。
【図面の簡単な説明】
【０００６】
【図１】  本考案の斜視図である。
【考案を実施するための形態】
【０００７】  仰向けになって、本考案の指圧器を、スライド板３が身体と直交する形態で、突起１が左右均等的に背中等に当たるように敷いて寝る。すると体重によって、背中等が押圧されて、押圧効果が得られるので、通常、十秒前後静止して、その部位の押圧効果を得て、次いで、その体位のまま、手で指圧器を動かすなり、固定突起盤２と可動突起盤４間の巾を変えるなりして、押圧部位を変えて、静止して押圧効果を得る。この動作を繰り返して、背中等の広範な部位、或いは望む部位の指圧効果や押圧効果を得る。
又、可動突起盤を二突起指圧器として使う場合には、二つの突起で頸椎を挟むようにして、首に敷いて、少しずつずらして使用する。
【符号の説明】
【０００８】１  突起
２  固定突起盤
３  スライド板
４  可動突起盤
５  スライド穴
【図１】
0003198238.tif 000003
(57)【要約】      （修正有）【課題】場の状況や服装の変化により、縦型もしくは横型に自在に切替えができる名札を提供する。【解決手段】名札本体１と衣服に固定するためのクリップ３やピンの間に３６０度自由に回転するジョイント２を設ける。【選択図】図５
0003198757.tif 000002
【実用新案登録請求の範囲】
【請求項１】
名札本体と衣服に固定するためのクリップやピンの間に３６０度自由に回転するジョイントを設ける事で、縦型、横型を自在に切替できる事を特徴とする名札。
【考案の詳細な説明】
【考案の概要】
【考案が解決しようとする課題】
【０００１】従来、名札はクリップやピンが名札本体に固定されており、縦型の名札は縦向きに、横型の名札は横向きに使うしかないものであり、名札を使う状況で、縦横のどちらが場に合っているかが分からない場合、縦型の名札と横型の名札の２種類の名札を用意しなければならなかった。
また、場の移動や服装の変化により、縦型の名札と横型の名札のどちらもが必要となった場合にも、縦型の名札と横型の名札の２種類の名札が必要であった。
【課題を解決するための手段】
【０００２】名札本体と衣服に固定するためのクリップやピンの間に３６０度自由に回転するジョイントを設ける事で、縦型、横型を自在に切替する。
【考案の効果】
【０００３】縦横を自在に切替する事により、縦型もしくは横型の名札のどちらが必要であっても、１つの名札で対応できるようになる。
【図面の簡単な説明】
【図１】縦に使用した場合の正面図
【図２】縦に使用した場合の側面図
【図３】横に使用した場合の正面図
【図４】横に使用した場合の側面図
【図５】回転するジョイント使って９０度回転させる状況を示した背面図
【符号の説明】１．名札本体
２．回転するジョイント
３．衣服に固定するための器具
【図１】
0003198757.tif 000003
【図２】
0003198757.tif 000004
【図３】
0003198757.tif 000005
【図４】
0003198757.tif 000006
【図５】
0003198757.tif 000007
(57)【要約】      （修正有）【課題】服を着たままゴム通しができる紐通し具を提供する。【解決手段】折曲自在な線材による紐通し本体２の後部に、リング状の締付部４を設けると共に、締付部４を締め付けるべく２つの通孔を設けてなる固定具５を締付部４にスライド自在に設けてなることを特徴とする。【選択図】図１
0003198756.tif 000002
【実用新案登録請求の範囲】
【請求項１】
折曲自在な線材による紐通し本体の後部に、リング状の締付部を設けると共に、前記締付部を締め付けるべく２つの通孔を設けてなる固定具を前記締付部にスライド自在に設けてなることを特徴とする紐通し具。
【考案の詳細な説明】
【技術分野】
【０００１】  本考案は、スカートやズボン等へ紐を通すための紐通し具に関するものである。
【背景技術】
【０００２】  従来の技術としては、図６・図７にあるようなものがすでに市販されている。
本考案とベースは類似しているが、この固定具Ｋは一つ孔Ｎであり、締付部Ｓに紐（図示せず）を通していない状態で、引っ張ると抜ける恐れがあり、かつ、紛失することもあり実用的でない。【０００３】  また、別の従来の技術として、下部挟持板、および、上記上部挟持板の各後端部にそれぞれ接続されると共に上記上部挟持板の各先端部を回動操作により開閉する操作板を有するクリップ部と、上記クリップ部の後端側に接続されている側の幅より後端部に幅が小さく成るように構成された棒体部とを備えた通し具がある。（特許文献１参照）
【先行技術文献】
【特許文献】
【０００４】
【特許文献１】  特開２０１４−１０５４２０号公報
【考案の概要】
【考案が解決しようとする課題】
【０００５】  前記特許文献１においては、丸い形状の紐には挟持しにくいと思われる。
また、棒体部が硬いため、例えば、スカート等を履いてのゴム通し等は無理と思われる。【０００６】  よって、本考案は、上記の問題点を解決しようとするものであり、締付部から固定具が外れることなく使用でき、かつ、折曲自在な線材による紐通し本体により、服を着たまま紐（ゴム）通しができる紐通し具を提供することを目的とする。
【課題を解決するための手段】
【０００７】  本考案は、上記目的を達成するため、折曲自在な線材による紐通し本体の後部に、リング状の締付部を設けると共に、前記締付部を締め付けるべく２つの通孔を設けてなる固定具を前記締付部にスライド自在に設けてなることを特徴とする。
【考案の効果】
【０００８】１）、締付部を締付けるべく、２つの通孔を設けた固定具により、子供等が悪をして引っ      張っても、締付部から固定具が外れることがない。
また、紐通し時に、紐が外れた場合、紐通し具を一端外に出さなくてはならず、そ      の時にも外れることなく外へ取り出すことができる。
２）、折曲自在な線材による紐通し本体により、スタート等を着用したままでも作業でき      る。
【図面の簡単な説明】
【０００９】
【図１】  本考案の一実施例を示す紐通し具の正面図。
【図２】  本考案の一実施例を示す紐通し具の固定具の側面図。
【図３】  本考案の一実施例を示す紐通し具の固定具の縦断面図。
【図４】  本考案の一実施例を示す紐通し具の要部の一部縦断面図。
【図５】  本考案の一実施例を示す紐通し具の使用状態図。
【図６】  従来技術の紐通し具の固定具の一部縦断正面図。
【図７】  従来技術の紐通し具の固定具が引き抜かれた一部縦断状態図。
【考案の実施するための形態】
【００１０】  紐通し具１は、折曲自在な線材等による紐通し本体２の先端に球体の案内部３を設け、後部にリング状の締付部４を設けると共に、締付部４を締付けるべく、２つの通孔５ａ・５ａを設けてなる固定具５を締付部４にスライド自在に設けてなる。
なお、６は締付部４の端部を固着してなる固着部である。（図１・図２・図３参照）
また、固定具５の２つの通孔５ａ・５ａにより締付部４は外れない構造となっている。
（図４参照）
【００１１】  つぎに、紐通し具１の使用例について説明する。
紐通し具１の締付部４に、紐Ｈの先端部を挿入後、固定具５をスライドさせることにより締付部４を紐Ｈに食い込ませ、固定させる。
この状態でスカートやズボン等のウエスト部（図示せず）に紐通し具１を案内部３を差し込み、順次ウエスト部をたぐり寄せながら紐Ｈを入れて行くことができるものである。（図５参照）
【００１２】  なお、本考案の実施例において、材質や大きさ等は、必要に応じて決めればよい。
【産業上の利用分野】
【００１３】  基本的に、スカートやズボンのウエスト部へ紐やゴム等を通すものであるが、現場等にて、電線やコード等を引っ張るための道具としても利用できる。
その時は、紐通し本体の長さを長くすればよい。
【符号の説明】
【００１４】  １―――紐通し具
２―――紐通し本体
３―――案内部
４―――締付部
５―――固定具
Ｈ―――紐
【図１】
0003198756.tif 000003
【図２】
0003198756.tif 000004
【図３】
0003198756.tif 000005
【図４】
0003198756.tif 000006
【図５】
0003198756.tif 000007
【図６】
0003198756.tif 000008
【図７】
0003198756.tif 000009
(57)【要約】      （修正有）【課題】介護が必要な寝たきりの犬が大便をした時、周りを汚さないように大便を捕獲する大便捕獲用具である尻当パッドを提供する。【解決手段】薄手のプラスチック袋を保持できる馬蹄形状の尻当パッドである。尻当パッドは弾力性のある素材で作られ、Ａ１とＡ２の２つに分解できる。Ａ１とＡ２でプラスチック袋を挟み、組み合わせる。馬蹄形の開口部を上にして犬の肛門部に粘着テープで固定させる。犬が大便をした時、大便は確実にプラスチック袋に収納されるので、後の処理が簡単に出来る。消耗品はプラスチック袋と粘着テープだけなので費用負担はかなり軽減される。【選択図】図５
0003198758.tif 000002
【実用新案登録請求の範囲】
【請求項１】
弾力を持った素材で作られ、２つに分解でき、その間に薄手のプラスチック袋を挟み込み保持できることを特徴とする、寝たきり犬の大便を回収する為の馬蹄形状の尻当パッドである。
【考案の詳細な説明】
【技術分野】
【０００１】  本考案は、介護が必要な寝たきりの犬が大便をした時、周りを汚さないように大便を捕獲する大便捕獲用具に関するものである。
【背景技術】
【０００２】  人生の友である愛犬は必ず年を取り介護が必要な時が来る。特に排便の処置については頭を悩ませる問題である。寝ている間に排泄された大便は、犬が動くことにより、犬の体や周りに付着し、臭いと汚れで大変なことになってしまう。その都度風呂場等で洗浄しなければならず、その労働はかなりの負担になっている。人が２４時間四六時中ついているわけにもいかない。一般的に販売されている犬の介護用のおむつをつけることにより、ある程度の介護負担は軽減されている。
【考案の概要】
【考案が解決しようとする課題】
【０００３】  犬に介護用のおむつを装着した場合でも、おむつの中の範囲での汚れはやはり処理しなくてはならない。またおむつから漏れ出ることもよくあることである。また介護用おむつは価格も高く、一日に何度も排泄する場合にはかなりの金銭的負担になる。
本考案は老犬の排便漏れによる介護負担を軽減するものである。
【課題を解決するための手段】
【０００４】  本考案は、薄手のプラスチック袋を保持できる馬蹄形状の尻当パッドである。尻当パッドは弾力性のある素材で作られ、図１のＡ１とＡ２で構成されている。Ａ１とＡ２でプラスチック袋の開口部を挟み、図２のイラストのように犬の肛門部に粘着テープで固定させる。尻当パッドが馬蹄形状であり弾力性のある素材で作られているので、しっかりと犬の肛門部分をカバーできる。その為犬が大便をした時、大便は確実にプラスチック袋に収納される。
【考案の効果】
【０００５】  従来から行われているおむつはおむつ内での汚れを回避できず、またおむつからの漏れも心配される。おむつの価格も高めである。馬蹄形状の尻当パッドは犬の肛門部に密着する為、排泄物は体を汚すことなくプラスチック袋に収まる。交換部品はプラスチック袋と粘着テープだけなので非常に経済的である。
【図面の簡単な説明】
【０００６】
【図１】尻当パッドの基本型で馬蹄形をスライスしたようにＡ１とＡ２の２つのパーツで構成されている。
【図２】尻当パッドを犬に付けた時のイラストである。Ａ１，Ａ２は尻当パッド、Ａ３はプラスチック袋、Ａ４は粘着テープである。
【図３】粘着テープＡ４により、尻当パッドを犬の肛門部に装着した時の図である。×は犬の肛門に見立てている。
【図４】尻当パッドの平面図と側面図である。尻当てパッドはＡ１とＡ２により構成されている。
【図５】犬に装着する前のイラストで、尻当パッドにプラスチック袋Ａ３が挟み込まれた状態を表している。断面図はＸ−Ｘ’で尻当てパッドをきったときのものである。
【図６】突起付きの尻当てパッドのイラストである。
【図７】粘着テープＢ４により、尻当てパッド突起付きを犬の肛門部に装着した時の図である。
【図８】フラット構造の尻当パッドである。平面図と側面図、そのイラストである。ｃはかみ合わせの突起である。
【考案を実施するための形態】
【０００７】  まず図４の尻当パッドをＡ１とＡ２に分解する。Ａ２の内側からプラスチック袋の開口部を通し、Ａ２から２〜３ｃｍほど出したところでＡ１によりプラスチック袋を挟み込み図５のイラストの様に完成させる。完成したプラスチック袋付きの尻当パッドを馬蹄形の開放部を上にして、図２及び図３のイラストに示されている様に粘着テープで固定する。
【実施例】
【０００８】  弾力を持ったシリコンゴムで作られ、２つに分解でき、その間に薄手のプラスチック袋を挟み込み保持できる、寝たきり犬の大便を回収する為の馬蹄形状の尻当パッドである。尻当パッドのキットは馬蹄形状の尻当パッドのほかプラスチック袋と粘着テープから構成されている。図５のイラストが示すようにＡ３のプラスチック袋を尻当パッドのＡ１とＡ２で挟み込む。完成した袋付き尻当パッドを犬の肛門部に隙間の無いように充て、粘着テープで固定する。その時、馬蹄形の尻当パッドの開かれた部分を犬の尻尾側に装着する。尻当パッドの形状が馬蹄形構造なので柔軟に装着できる。犬が大便を排泄すると、排泄物は確実にプラスチックの袋に収まる。犬から袋付き尻当パッドを取り外した後、プラスチック袋に収まった排泄物をトイレに流すかまたはプラスチック袋ごとゴミとして捨てる。【０００９】  図６は粘着テープをはりやすくするために、尻当パッドに突起部を設けたものである。この突起部に粘着テープを張り、犬の肛門部に固定する。【００１０】  フラット型はＣ１にメス穴をＣ２にオスの突起ｃをそれぞれ６ヶ所設けたものである。このかみ合わせ突起によりプラスチック袋を挟み込み、完成した尻当パッドを犬の肛門部に固定する。
【産業上の利用可能性】
【００１１】  本考案は犬用で考案されたが、猫用または他の動物にも応用できる。
【符号の説明】
【００１２】  Ａ１      尻当パッドメス型
Ａ２      尻当パッドオス型
Ａ３      プラスチック袋
Ａ４      粘着テープ
Ｂ１      尻当パッド突起付きメス型
Ｂ２      尻当パッド突起付きオス型
Ｂ４      粘着テープ
ｂ        突起
Ｃ１      尻当パッドフラットメス型
Ｃ２      尻当パッドフラットオス型
ｃ        かみ合わせ突起
【図１】
0003198758.tif 000003
【図２】
0003198758.tif 000004
【図３】
0003198758.tif 000005
【図４】
0003198758.tif 000006
【図５】
0003198758.tif 000007
【図６】
0003198758.tif 000008
【図７】
0003198758.tif 000009
【図８】
0003198758.tif 000010
(57)【要約】      （修正有）【課題】燃焼室の燃焼温度を間接的に利用することで室内の暖房効率を高め省エネに貢献できるストーブを提供する。【解決手段】屋内・室内を暖房するためのストーブの暖房効率を高めるために、ストーブの燃焼室（内部空間）の燃焼温度を間接的に利用するために、金属製パイプ２数本をストーブ外壁底部７から燃焼室６を貫通させ上壁部８に突出するよう付設し、床面上の低い温度の空気をストーブ底部の空気取り入れ口４より取り込み、さらに、取り入れ口より数十センチの所から突出部先端まで十字状の鋼板３をストレートに、内設されたパイプ内を通過させることにより、空気の接触面積が多くなり効率よく暖められた空気を排出し上昇気流を発生させ室内の対流効果で暖房効率を高める。【選択図】図１
0003198751.tif 000002
【実用新案登録請求の範囲】
【請求項１】
屋内・室内を暖房するためのストーブの暖房効率を高めるためには、ストーブの燃焼室（内部空間）の燃焼温度を間接的に利用するために、（１）金属製パイプ数本をストーブ外壁底部から燃焼室を貫通させ上壁部に突出するよう付設することによりパイプが加熱され、（２）床面上の低い温度の空気をストーブ底部の空気取り入れ口より空気取り込み、（３）取り入れ口より数十センチの所から突出部先端まで十字状の鋼板をストレートに内設されたパイプ内を通過させることにより、空気の接触面積が多くなり効率よく暖められた空気を排出し上昇気流を発生させ室内の対流効果で暖房効率を高める。以上の（１）〜（３）の構成からなるストーブ。
【考案の詳細な説明】
【技術分野】
【０００１】  本考案は、ストーブの燃焼室（内部空間）の中を金属製パイプを貫通させ屋内・室内の暖房効率を高めるものである。
【背景技術】
【０００２】  ストーブは、大別して反射（輻射熱）・対流型が有り燃焼効率を最大限得る工夫をしている。
【考案の開示】
【考案が解決しようとする課題】
【０００３】  従来のストーブは、燃焼効率を高める工夫はなされているが、更に燃焼室の燃焼温度を間接的に利用することで室内の暖房効率を高め省エネに貢献できるものが無かった。
【課題を解決するための手段】
【０００４】  屋内・室内を暖房するための暖房効率を高めるためには、燃焼室の燃焼温度を間接的に利用することである。このために、金属製パイプ数本をストーブ外壁底部から燃焼室を貫通し上壁部に突出するよう付設することによりパイプを加熱することが出来る。暖房域の面積が広い所に対応するにはパイプ突出部先端にアタッチメントを取り付けパイプを延長することも可能である。又空気清浄器等の無い所にはストーブ底部の空気取り入れ口にフィルター付の低速ファンを付設することも考えられる。【０００５】  ストーブ底部のパイプの空気取り入れ口より数十センチ空間の所から突出部先端まで、十字状又はらせん状の鋼板をストレートに内設し空気の接触面積を多くし効率よく暖められた空気を排出する。
【考案の効果】
【０００６】  床面上の低い温度の空気を、燃焼室の中に貫通させた金属製パイプを加熱することにより効率的に空気を取り込み、上昇気流を発生させ室内の対流効果で暖房効率を高めることが出来る。省エネにも貢献することが出来ると共に、今迄以上に普及がはかられる。
【考案を実施するための最良の形態】
【０００７】  以下、本考案の実施形態を図１〜図４に基づいて説明する。【０００８】  図１に於いて、１はストーブ本体で２・２ａは金属製パイプである。３の十字状の鋼板は通過する空気の接触面積を多くし効率よく暖めて排出させる。【０００９】  図２は、ストーブ本体を側面から見た図で５の煙突と２・２ａの金属製パイプの位置関係を示した図である。【００１０】  図３は、ストーブ本体の平面図で図２と同様で位置関係を示している。３の十字状の鋼板もパイプの中に示している。【００１１】  図４は、金属製パイプ２・２ａに内設する十字状の鋼板の形状を示した図である。
【図面の簡単な説明】
【００１２】
【図１】  本考案の実施形態を示すストーブ本体の正面図及び一部切欠断面図
【図２】  本考案図１の右側面図及び一部切欠断面図
【図３】  本考案図１の平面図
【図４】  本考案図１の金属製パイプの中に内設する十字状の鋼板の斜視図
【符号の説明】
【００１３】  １      ストーブ本体
２・２ａ金属製パイプ
３      十字状の鋼板
４・４ａ空気取り入れ口
５・５ａ空気排出口
６      燃焼室
７      外壁底部
８      上壁部
９      煙突
【図１】
0003198751.tif 000003
【図２】
0003198751.tif 000004
【図３】
0003198751.tif 000005
【図４】
0003198751.tif 000006